(57)【要約】【課題】  従来、電柱の支線用アンカーは、地震、台風や大風に対して弱く、電柱が倒れることがあります。【解決手段】  従来、支線用アンカーの使用している部品や溶接は、個々、独自で電柱が倒れる時の急激な引っ張り力に耐えていました。それをアンカー本体と部品や溶接などを、補強材料で結束して強力にした発明です。【選択図】図２
2018080562.tif 000002
【特許請求の範囲】
【請求項１】
円筒体を有し、円筒体の内周壁の相対した壁に補強材料２を設置、アンカー１の蓋３の中心部に接続金具を設置、そして蓋３の端を相対した場所に穴を開けて円筒体の内部上端に、蓋３の端の穴に補強材料２を通し蓋３を円筒体内部壁、又は円筒体上端に設置する、そして接続金具５に相方から補強材料２を、設置する補強をした支線用アンカー。
【請求項２】
円筒体の外周壁の相対した外周壁に補強材料２を設置、円筒体の上端内に、又は上端外に蓋３を設置し、蓋３の中心部に接続金具５を設置、相対した外周壁より補強材料２を接続金具５に相方から補強材料２を設置した、請求項１記載の補強をした支線用アンカー。
【請求項３】
円筒体の内周壁の相対した壁に補強材料２を設置、アンカー１の蓋３の中心部に接続金具５のアイボルト４をネジで設置、そして蓋３の端を相対した場所に穴を開けて円筒体の内部上端に蓋３の端の穴に補強材料２を通し、蓋３を円筒体内部壁、又は円筒体上端に設置する、そしてアイボルト４の頭部上で両方の壁から来た補強材料２を合わせて溶接して設置して止める。又は、図２のアンカー１断面図の様に、補強材料２を断面図に書かれた山形の様な形をした補強材料２を作製し、アンカー１の上部から蓋３の穴を通し相方の円筒体内部の壁に設置し、アイボルト４の頭部、蓋３を溶接して設置した、請求項１記載の補強をした支線用アンカー。
【請求項４】
図３の様に鉄板に丸い穴を開けた接続金具５の鉄板の厚さや、鉄板の上部と丸く開けた穴との間隔が充分安全な場合、図２の様に頭部上で補強材料２を合わせても良く、又は図３の様に、接続金具５の頭部付近に補強材料２を設置した請求項１記載の補強をした支線用アンカー。
【請求項５】
図４の様に接続金具５のサイズが縦に長い場合、接続金具５の脇に補強材料２を設置した、請求項１記載の補強をした支線用アンカー。
【請求項６】
図５の様に、接続金具５の鉄板の厚さが薄い場合、接続金具５に片方が腹側、もう片方が背中側に補強材料２を設置した、請求項１記載の補強をした支線用アンカー。
【請求項７】
図６の様に、接続金具５に片方が頭部の腹側、もう片方が頭部の背中側に補強材料２を設置した、請求項１記載の補強をした支線用アンカー。
【請求項８】
図７の様に鉄板の厚さが薄い場合、補強材料２を相方２本ずつ、計４本を円筒体内周壁に設置、相方腹側、背中側に補強材料２を設置した、請求項１記載の補強をした支線用アンカー。
【請求項９】
補強材料２を円筒体内壁に相対せず、片方だけの円筒体内壁に設置し、片方だけの補強材料２を接続金具５に設置する、又は、以上各種の接続金具５に補強材料２を設置するが、その位置は、複数の種類を合同に設置する事も出来、組替えすることも出来、各種の補強材料２は円筒体外周壁に設置する事が出来ている、請求項１記載の補強をした支線用アンカー。
【発明の詳細な説明】
【技術分野】
【０００１】  本発明は電柱を支える支線用アンカーに関するものです。
【背景技術】
【０００２】  従来、電柱の支線のアンカーに使用されているアンカーは、地下数メートル下に埋設されており、地震、台風、大風等により電柱が倒れる危険性がある時、電柱の支線用アンカーは、電柱が倒れるのを、倒れない様に支えております。特に電柱が倒れる時の支線用アンカーに掛かる引っ張り力は、急激に数トンの衝撃で、支線用アンカーの各部品、各溶接部等が破壊され、溶接部分が引き千切られ、支線用アンカーの用をなさなくなり電柱が倒れてしまいます。
【先行技術文献】
【０００３】
【特許文献】
【特許文献】特願  ２０１３−０７０７１５  特願  ２０１５−２１７９７３
【発明の概要】
【発明が解決しようとする課題】
【０００４】  従来、電柱の支線用アンカーに使用されている部品は、基準値内の強度を保っているけれども、その基準値の数倍の急激な引っ張り力が掛かれば使用している部品は破壊されて、支線用アンカーの用をなさなくなり電柱は倒れてしまいます。又、部品をアンカー本体に溶接で設置していますが急激な引っ張り力に耐えられず、溶接部分が引き千切られ、支線用アンカーの用をなさなくなり、電柱は倒れてしまいます。【０００５】  従来、支線用アンカーに使用されている部品は急激な引っ張り力に個々に対応しております。アンカーボルトとの接続金具であるアイボルトは鋳造作りであり、アンカー本体の上部の蓋にネジで固定されています。急激な引っ張り力がアイボルトに掛かれば図１の様にアイボルトの円の上部が破壊されます。又、もし円の上部が破壊されず無事であった場合、アイボルトのネジの部分が折れたり、引き千切られたりします。そしてアイボルトをアンカー本体の上部の蓋で支えていますが、その支えている蓋が急激な引っ張り力で山状に変形し、変形しすぎて、アンカー本体との溶接が引き千切られてしまい、電柱は倒れてしまいます。
支線用アンカーは地下数メートル下で上記の様なことが起らない様にしなければなりません。
【課題を解決する為の手段】
【０００６】  従来は、急激な引っ張り力に接続金具のアイボルトは、アイボルトの基準値内の強度で耐え様としております。又、アイボルトを支える蓋は、蓋の基準値内の強度で耐え様としております。又、蓋のアンカー本体への設置の溶接も溶接の基準値内の強度で耐え様としております。けれども使用しているどれかが急激な引っ張り力に耐えられなくなったら、全て支線用アンカーの用をなさなくなり電柱は倒れてしまいます。
以上の個々の部品や溶接を、個々ではなく、支線用アンカー本体と蓋とアンカーボルト接続金具の３者を補強材料との溶接で１体に結束する方法です。
【０００７】  本発明を図と共に説明すれば、図２は支線用アンカー１の断面図である。アンカー１の円筒体の内周壁、又は外周壁に補強材料２を相対した両方の壁に設置する。そして、アンカー１の蓋３の中心部に接続金具５のアイボルト４をネジで設置、そして蓋３の端を相対した場所に穴を開けて、円筒体の内部上端に蓋３の端の穴に補強材料２を通し蓋３を円筒体内部壁、又は円筒体上端に設置する。そしてアイボルト４の頭部上で両方の壁から来た補強材料２を合わせて溶接して、設置して止める。又は、図２のアンカー１の断面図の様に、補強材料２を断面図に書かれた山形の様な形をした補強材料２を作製し、アンカー１の上部から蓋３の穴を通し相方の円筒体内周の壁に設置し、アイボルト４の頭部、蓋３を溶接して設置する。
【０００８】  又は、アンカー１の上部の接続金具５がアイボルト４ではなく、図３の様に鉄板に丸い穴を開けた、接続金具５の場合、鉄板の厚さや、鉄板の上部と、丸く開けた穴の間隔が充分安全な場合、図２の様に頭部上で補強材料２を合わせても良く、又は図３の様に接続金具５の頭部付近に補強材料２を設置しても良く、図４の様に接続金具５のサイズが縦に長い場合は、接続金具５の脇に補強材料２を設置する。
又、図５の様に接続金具５の鉄板の厚さが薄い場合、図５の様に接続金具５に片方が腹側、もう片方が背中側に補強材料２を設置する。又、図６の様に接続金具５に片方が頭部の腹側、もう片方が頭部の背中側に補強材料２を設置する。
又は、鉄板の厚さが薄い場合は、補強材料２を、相方２本、計４本を円筒体内周壁に設置し、図７の様に相方、腹側と背中側に補強材料２を設置する。
又は、補強材料２を相対せず片方の円筒体内周壁に設置し片方の補強材料２を接続金具５に設置する。
又は、以上各種の位置に補強材料２を設置するが、その位置は複数の種類を合同に設置することも出来、組み替えすることも出来、相対せず片方だけで補強材料２で接続金具５を補強することも出来、各種の補強材料２は、円筒体外周壁に設置することが出来る。
【０００９】  以上の様に支線用アンカー１本体と、蓋３と、接続金具５とを補強材料２で１体に結束して補強することにより、強力な支線用アンカーが出来上がります。
【発明の効果】
【００１０】  この発明の効果として、従来、接続金具のアイボルトや蓋は、電柱が倒れる急激な引っ張り力に対して独自で耐えていました。けれどもこの発明は、アンカー本体プラス蓋プラスアイボルトの結束補強で強力な支線用アンカーが完成致しました。
【産業上の利用可能性】
【００１１】  この発明の支線用アンカーを使用することにより、電柱の倒れの防止になります。
【図面の簡単な説明】
【００１２】
【図１】  アイボルトの破壊図
【図２】  アイボルトの補強図
【図３】  接続金具の頭上付近補強図
【図４】  接続金具が長い場合の補強図
【図５】  接続金具が薄い場合の補強図
【図６】  接続金具が薄い場合の頭部の補強図
【図７】  接続金具が薄く補強材料を４ヶ所で補強した図
【図８】  本発明の支線用アンカーの参考斜視図
【符号の説明】
【００１３】１、  アンカー
２、  補強材料
３、  蓋
４、  アイボルト
５、  接続金具
【図１】
2018080562.tif 000003
【図２】
2018080562.tif 000004
【図３】
2018080562.tif 000005
【図４】
2018080562.tif 000006
【図５】
2018080562.tif 000007
【図６】
2018080562.tif 000008
【図７】
2018080562.tif 000009
【図８】
2018080562.tif 000010